(57)【要約】【課題】  電池の電力により動作する情報機器において、実際に使用するときに電池残量が足りなくなることを防止することができる情報機器及び電池残量検出方法を提供する。【解決手段】  アラームの設定日時になった場合には（ステップＳ３０のＹｅｓ）、電池残量検出部１２６によって電池１２４の残量が検出される（ステップＳ４０）。自然放電情報ＤＢ１２０内の電池１２４の保存特性データに基づいて、予定日時における電池残量を算出（推定）する（ステップＳ４２）。そして、残量−撮像可能枚数変換テーブル１２２内の電池残量と撮像可能枚数及び動画の撮像可能時間の関係を示すデータに基づいて、予定日時における撮像可能枚数及び撮像可能時間が算出され（ステップＳ４４）、モニタ２２に表示される（ステップＳ４６）。【選択図】      図１０
2009089325.tif 000002
【特許請求の範囲】
【請求項１】
動作電力を供給する電池と、
前記電池の残量を検出する電池残量検出手段と、
前記電池の保存特性を記録する保存特性記録手段と、
予定日時を含むスケジュール情報を記録するスケジュール情報記録手段と、
前記電池残量検出手段によって検出された電池残量及び前記電池の保存特性に基づいて、前記予定日時における電池残量を算出する第１の算出手段と、
前記第１の算出手段によって算出された前記予定日時における電池残量を表示する第１の表示手段と、
を備えることを特徴とする情報機器。
【請求項２】
前記予定日時までの間、前記情報機器が置かれた環境に関する環境情報を記録する環境情報記録手段を更に備え、
前記第１の算出手段は、前記環境情報に基づいて、前記予定日時における電池残量を算出することを特徴とする請求項１記載の情報機器。
【請求項３】
前記環境情報記録手段は、前記予定日時までの間に前記情報機器が置かれた環境の気温に関する情報、前記スケジュール情報によって指定された場所又は前記場所への移動手段に関する情報のうち少なくとも１つの情報を環境情報として記録することを特徴とする請求項２記載の情報機器。
【請求項４】
前記スケジュール情報記録手段は、前記予定日時に先立ってアラームを出力するアラーム設定日時を記録しており、
前記アラーム設定日時になったかどうかを判定する判定手段と、
前記判定手段によってアラーム設定日時になったと判定された場合に、アラームを出力する第１のアラーム出力手段とを備え、
前記第１の算出手段は、前記判定手段によってアラーム設定日時になったと判定された場合に、前記予定日時における電池残量を算出することを特徴とする請求項１から３のいずれか１項記載の情報機器。
【請求項５】
前記電池残量検出手段によって検出された電池の残量が満充電でないときにアラームを出力する第２のアラーム出力手段を更に備えることを特徴とする請求項１から４のいずれか１項記載の情報機器。
【請求項６】
画像を撮像するための撮像手段を更に備えることを特徴とする請求項１から５のいずれか１項記載の情報機器。
【請求項７】
前記第１の算出手段によって算出された予定日時における電池残量に基づいて、前記予定日時における静止画の撮像可能枚数、又は動画の撮像可能時間のうち少なくとも一方を算出する第２の算出手段と、
前記第２の算出手段によって算出された静止画の撮像可能枚数又は動画の撮像可能時間を表示する第２の表示手段と、
を更に備えることを特徴とする請求項６記載の情報機器。
【請求項８】
前記スケジュール情報の入力を受け付けるスケジュール情報入力手段を更に備えることを特徴とする請求項１から７のいずれか１項記載の情報機器。
【請求項９】
情報機器に設けられた電池残量検出手段によって、該情報機器の動作電力を供給する電池の残量を検出する電池残量検出工程と、
前記情報機器によって、予定日時を含むスケジュール情報を取得するスケジュール情報取得工程と、
前記電池残量検出工程において検出された電池残量及び前記電池の保存特性に基づいて、前記予定日時における電池残量を算出する第１の算出工程と、
前記第１の算出工程において算出された前記予定日時における電池残量を表示する第１の表示工程と、
を備えることを特徴とする電池残量検出方法。
【請求項１０】
前記第１の算出工程では、前記予定日時までの間、前記電池残量検出方法が置かれた環境に関する環境情報に基づいて、前記予定日時における電池残量を算出することを特徴とする請求項９記載の電池残量検出方法。
【請求項１１】
前記スケジュール情報取得工程では、前記予定日時に先立ってアラームを出力するアラーム設定日時を取得し、
前記アラーム設定日時になったかどうかを判定する判定工程と、
前記判定工程においてアラーム設定日時になったと判定された場合に、アラームを出力するアラーム出力工程と、
前記判定手段によってアラーム設定日時になったと判定された場合に、前記予定日時における電池残量を算出する工程と、
を更に備えることを特徴とする請求項９から１０のいずれか１項記載の電池残量検出方法。
【請求項１２】
前記電池残量検出工程において検出された電池の残量が満充電ではないときにアラームを出力するアラーム出力工程を更に備えることを特徴とする請求項９から１１のいずれか１項記載の電池残量検出方法。
【請求項１３】
前記情報機器は、画像を撮像するための撮像手段を備えた撮像装置であり、
前記第１の算出工程において算出された予定日時における電池残量に基づいて、前記予定日時における静止画の撮像可能枚数、又は動画の撮像可能時間のうち少なくとも一方を算出する第２の算出工程と、
前記第２の算出工程において算出された静止画の撮像可能枚数又は動画の撮像可能時間を表示する第２の表示工程と、
を更に備えることを特徴とする請求項９から１２のいずれか１項記載の電池残量検出方法。
【発明の詳細な説明】
【技術分野】
【０００１】
本発明は情報機器及び電池残量検出方法に係り、特に電池から供給される電力により動作する情報機器及び該情報機器における電池残量検出方法に関する。
【背景技術】
【０００２】
特許文献１には、予定時間と予定とを入力することが可能なスケジュール機能を有する情報機器が開示されている。
【特許文献１】特願２００４−１７８６０７号公報
【発明の開示】
【発明が解決しようとする課題】
【０００３】
電池の電力により動作する情報機器は、電池残量をチェックしてからの経過時間が長くなると、当該情報機器を実際に使用するときに電池残量が足りなくなるという問題があった。
【０００４】
本発明はこのような事情に鑑みてなされたもので、電池の電力により動作する情報機器において、実際に使用するときに電池残量が足りなくなることを防止することができる情報機器及び電池残量検出方法を提供することを目的とする。
【課題を解決するための手段】
【０００５】
上記課題を解決するために、本発明の第１の態様に係る情報機器は、動作電力を供給する電池と、前記電池の残量を検出する電池残量検出手段と、前記電池の保存特性を記録する保存特性記録手段と、予定日時を含むスケジュール情報を記録するスケジュール情報記録手段と、前記電池残量検出手段によって検出された電池残量及び前記電池の保存特性に基づいて、前記予定日時における電池残量を算出する第１の算出手段と、前記第１の算出手段によって算出された前記予定日時における電池残量を表示する第１の表示手段とを備えることを特徴とする。
【０００６】
上記第１の態様によれば、電池の保存特性に基づいて予定日時における電池残量を算出することにより、情報機器を実際に使用するときに電池の残量が十分かどうかに関する情報をユーザに提供することができる。
【０００７】
本発明の第２の態様は、上記第１の態様に係る情報機器において、前記予定日時までの間、前記情報機器が置かれた環境に関する環境情報を記録する環境情報記録手段を更に備え、前記第１の算出手段は、前記環境情報に基づいて、前記予定日時における電池残量を算出することを特徴とする。
【０００８】
上記第２の態様によれば、電池の保存特性に加えて、予定日時までの間、前記情報機器が置かれた環境に関する環境情報を考慮することにより、情報機器を実際に使用するときに電池の残量をより正確に算出することができる。
【０００９】
本発明の第３の態様は、上記第２の態様に係る情報機器において、前記環境情報記録手段は、前記予定日時までの間に前記情報機器が置かれた環境の気温に関する情報、前記スケジュール情報によって指定された場所又は前記場所への移動手段に関する情報のうち少なくとも１つの情報を環境情報として記録することを特徴とする。
【００１０】
上記第３の態様によれば、電池の保存特性に加えて、予定の場所までの移動手段及び移動時の環境における気温を考慮することにより、情報機器を実際に使用するときに電池の残量をより正確に算出することができる。従って、例えば、自動車の車内のような高温の環境に置かれていた場合にも、予定日時における電池残量を正確に推定することができる。
【００１１】
本発明の第４の態様は、上記第１から３の態様に係る情報機器において、前記スケジュール情報記録手段は、前記予定日時に先立ってアラームを出力するアラーム設定日時を記録しており、前記アラーム設定日時になったかどうかを判定する判定手段と、前記判定手段によってアラーム設定日時になったと判定された場合に、アラームを出力する第１のアラーム出力手段とを備え、前記第１の算出手段は、前記判定手段によってアラーム設定日時になったと判定された場合に、前記予定日時における電池残量を算出することを特徴とする。
【００１２】
上記第４の態様によれば、スケジュール情報に対して設定されたアラーム設定日時において予定日時における電池残量の算出を行うことにより、情報機器を実際に使用するときに電池の残量が不足するのを防止することができる。
【００１３】
本発明の第５の態様は、上記第１から４の態様に係る情報機器において、前記電池残量検出手段によって検出された電池の残量が満充電でないときにアラームを出力する第２のアラーム出力手段を更に備えることを特徴とする。
【００１４】
上記第５の態様によれば、例えば、電源オフ時等に第２のアラーム出力手段を用いることにより、情報機器を実際に使用するときに電池の残量が不足するのを防止することができる。
【００１５】
本発明の第６の態様に係る発明は、上記第１から５の態様に係る情報機器において、画像を撮像するための撮像手段を更に備えることを特徴とする。
【００１６】
上記第６の態様によれば、撮像手段を備えた情報機器を実際に使用するときにおける電池残量を表示することにより、撮像時に電池残量の不足によりシャッタチャンスを逃すのを防止することができる。
【００１７】
本発明の第７の態様は、上記第６の態様に係る情報機器において、前記第１の算出手段によって算出された予定日時における電池残量に基づいて、前記予定日時における静止画の撮像可能枚数、又は動画の撮像可能時間のうち少なくとも一方を算出する第２の算出手段と、前記第２の算出手段によって算出された静止画の撮像可能枚数又は動画の撮像可能時間を表示する第２の表示手段とを更に備えることを特徴とする。
【００１８】
上記第７の態様によれば、撮像手段を備えた情報機器を実際に使用するときにおける静止画の撮像可能枚数又は動画の撮像可能時間を表示することにより、撮像時に電池残量の不足によりシャッタチャンスを逃すのを防止することができる。
【００１９】
本発明の第８の態様は、上記第１から７の態様に係る情報機器において、前記スケジュール情報の入力を受け付けるスケジュール情報入力手段を更に備えることを特徴とする。
【００２０】
本発明の第９の態様に係る電池残量検出方法は、情報機器に設けられた電池残量検出手段によって、該情報機器の動作電力を供給する電池の残量を検出する電池残量検出工程と、前記情報機器によって、予定日時を含むスケジュール情報を取得するスケジュール情報取得工程と、前記電池残量検出工程において検出された電池残量及び前記電池の保存特性に基づいて、前記予定日時における電池残量を算出する第１の算出工程と、前記第１の算出工程において算出された前記予定日時における電池残量を表示する第１の表示工程とを備えることを特徴とする。
【００２１】
本発明の第１０の態様は、上記第９の態様に係る電池残量検出方法において、前記第１の算出工程では、前記予定日時までの間、前記電池残量検出方法が置かれた環境に関する環境情報に基づいて、前記予定日時における電池残量を算出することを特徴とする。
【００２２】
本発明の第１１の態様は、上記第９から１０の態様に係る電池残量検出方法において、前記スケジュール情報取得工程では、前記予定日時に先立ってアラームを出力するアラーム設定日時を取得し、前記アラーム設定日時になったかどうかを判定する判定工程と、前記判定工程においてアラーム設定日時になったと判定された場合に、アラームを出力するアラーム出力工程と、前記判定手段によってアラーム設定日時になったと判定された場合に、前記予定日時における電池残量を算出する工程とを更に備えることを特徴とする。
【００２３】
本発明の第１２の態様は、上記第９から１１の態様に係る電池残量検出方法において、前記電池残量検出工程において検出された電池の残量が満充電ではないときにアラームを出力するアラーム出力工程を更に備えることを特徴とする。
【００２４】
本発明の第１３の態様は、上記第９から１２の態様に係る電池残量検出方法において、前記情報機器は、画像を撮像するための撮像手段を備えた撮像装置であり、前記第１の算出工程において算出された予定日時における電池残量に基づいて、前記予定日時における静止画の撮像可能枚数、又は動画の撮像可能時間のうち少なくとも一方を算出する第２の算出工程と、前記第２の算出工程において算出された静止画の撮像可能枚数又は動画の撮像可能時間を表示する第２の表示工程とを更に備えることを特徴とする。
【発明の効果】
【００２５】
本発明によれば、電池の保存特性に基づいて予定日時における電池残量を算出することにより、情報機器を実際に使用するときに電池の残量が十分かどうかに関する情報をユーザに提供することができる。
【発明を実施するための最良の形態】
【００２６】
以下、添付図面に従って本発明に係る情報機器及び電池残量検出方法の好ましい実施の形態について説明する。
【００２７】
［撮像装置の構成］
図１は、本発明の一実施形態に係る撮像装置を示す外観図（上面図、背面図、側面図及び正面図）である。撮像装置１０は、静止画及び動画の記録、再生機能を備えた電子カメラである。図１に示すように、撮像装置１０の上面には、電源スイッチ１２及びレリーズスイッチ１４が設けられている。撮像装置１０の背面には、ファインダ１６、動作モード切替スイッチ１８、ズームスイッチ２０、モニタ２２、マルチ画面表示ボタン２４、メニューボタン２６、表示ボタン２８、マルチファンクションスイッチ３０及び削除ボタン３２が設けられている。撮像装置１０の正面には、フラッシュ発光部３４、ファインダ窓３６及びレンズ３８が設けられている。
【００２８】
電源スイッチ１２は、撮像装置１０の電源のオン・オフを切り替えるための操作手段である。
【００２９】
レリーズスイッチ１４は、撮像開始の指示を入力するための操作手段であり、半押し時にオンするＳ１スイッチと、全押し時にオンするＳ２スイッチとを有する２段ストローク式のスイッチで構成されている。撮像装置１０は、レリーズスイッチ１４の半押し（Ｓ１オン）の状態で自動焦点調節（ＡＦ処理）及び自動露出制御（ＡＥ処理）を実行し、半押しから更に押し込む全押し（Ｓ２オン）の状態で撮像を実行する。
【００３０】
動作モード切替スイッチ１８は、画像を撮像するための撮像モードと、画像を再生表示するための再生モードとの間で、撮像装置１０の動作モードを切り替えるための操作手段である。図１に示す例では、動作モード切替スイッチ１８は、スライド式のスイッチである。
【００３１】
ズームスイッチ２０（ワイド（Ｗ）スイッチ及びテレ（Ｔ）スイッチ）は、ズーム位置の設定を行うためのスイッチである。
【００３２】
モニタ２２は、カラー表示可能な液晶ディスプレイ（ＬＣＤ）で構成される。なお、モニタ２２としては、液晶ディスプレイのほか、有機ＥＬ（electro-luminescence）等の他の方式の表示装置を用いることも可能である。モニタ２２は、撮像モード時には、ライブビュー画像（スルー画）を表示し、画角確認用の電子ファインダとして使用されるとともに、再生モード時には、撮像した画像、及び撮像装置１０に装着された外部メモリ（図２の符号１０２）から読み出した再生画像等を表示する。また、各種メニューの選択や各メニューにおける各種設定項目の設定もモニタ２２の表示画面を用いて行われる。更に、モニタ２２には、撮像可能コマ数（動画については撮像可能時間）、再生コマ番号の表示、フラッシュ発光のオン・オフ、マクロモードのオン・オフ、記録画質（クオリティー）表示、画素数表示等の情報も表示される。
【００３３】
マルチ画面表示ボタン２４は、モニタ２２の画面上にマルチ画面表示の指示を入力するための操作手段である。
【００３４】
メニューボタン２６は、モニタ２２の画面上にメニューを表示させる指示を入力するための操作手段である。
【００３５】
表示ボタン（ＤＩＳＰボタン）２８は、モニタ２２における表示を切り替えるためのボタンである。撮像モード時には、表示ボタン２８が押下されるごとに、撮像条件等を示すアイコン表示又はＯＳＤ表示の有無、及びフレーミングガイド表示の有無が切り替わる。また、再生モード時には、表示ボタン２８が押下されるごとに、撮像条件等を示すアイコン表示又はＯＳＤ表示の有無が切り替わる。
【００３６】
マルチファンクションスイッチ３０は、十字キー３０Ａ及び決定ボタン３０Ｂを含んでいる。十字キー３０Ａは、上下左右の４方向の指示を入力可能な多機能操作部であり、メニューボタン２６の押下に応じてモニタ２２に表示されるメニュー画面からメニュー項目を選択したり、各メニューにおける各種設定項目の選択を指示する操作ボタンとして機能する。十字キー３０Ａによるメニュー項目等の選択は、中央の決定ボタン３０Ｂの押下によって確定される。また、十字キー３０Ａの上のボタンは、撮像モード時にフラッシュ発光のオン・オフを切り替えるためのボタンとして機能する。また、十字キー３０Ａの下のボタンは、撮像モード時にマクロ機能（接写機能）のオン・オフを切り替えるためのボタンとして機能する。また、十字キー３０Ａの左右のボタンは、それぞれ再生モード時に１コマ逆送りボタン、１コマ順送りボタンとして機能する。
【００３７】
削除ボタン３２は、再生モード時において、モニタ２２に再生表示中の画像を削除する指示を入力するための操作手段である。
【００３８】
図２は、本発明の一実施形態に係る撮像装置の内部構成を示すブロック図である。中央処理装置（ＣＰＵ）５０は、バス５２を介して撮像装置１０の各部と接続されており、所定のプログラムに従って撮像装置１０全体の動作を制御するとともに、自動露出（ＡＥ）演算、自動焦点調節（ＡＦ）演算、ホワイトバランス（ＷＢ）調整演算等の各種演算を実行する。内蔵時計８２は、日時及び時刻を計測する。電池１２４は、例えば、２次電池であり、撮像装置１０の各部に動作電力を供給する。電池残量検出部１２６は、例えば、電池１２４の電池電圧又は内部抵抗を測定することにより電池１２４の残量を検出する。電池残量検出部１２６によって検出された電池残量は、モニタ２２に表示される。
【００３９】
操作部５４は、図１に示した電源スイッチ１２、レリーズスイッチ１４、動作モード切替スイッチ１８、ズームスイッチ２０、マルチ画面表示ボタン２４、メニューボタン２６、表示ボタン２８、マルチファンクションスイッチ３０及び削除ボタン３２を含む各種の操作手段を含んでおり、ユーザからの操作に応じた信号をＣＰＵ５０に入力する。ＣＰＵ５０は、操作部５４からの入力信号に基づいて撮像装置１０の各回路を制御し、例えば、レンズ駆動制御、撮像動作制御、画像処理制御、画像の記録制御、再生制御、モニタ２２の表示制御等を行う。
【００４０】
外部メモリ１０２は、撮像装置１０に着脱自在な記録媒体であり、例えば、ｘＤピクチャカード（登録商標）、スマートメディア（登録商標）に代表される半導体メモリカード、可搬型小型ハードディスク、磁気ディスク、光ディスク、光磁気ディスク等、種々の媒体を用いることができる。外部メモリインターフェース部（外部メモリＩ／Ｆ）１００は、外部メモリ１０２との間で送受信される画像信号に対して所定の信号変換を行う。
【００４１】
スピーカ１１２は、音声を出力するための装置であり、撮像装置１０の各種動作音及び外部メモリ１０２に記録された音声信号を再生出力する。マイク１１４は、音声を入力するための装置であり、例えば、動画撮像時における音声及びボイスメモの録音に用いられる。オーディオ入出力回路１１０は、ＣＰＵ５０からの制御信号に従って、スピーカ１１２に出力される音声信号及びマイク１１４から入力された音声信号に対して所定の信号処理を施す。
【００４２】
撮像装置１０は、パーソナルコンピュータその他の外部機器と接続するための通信手段として通信インターフェース部（通信Ｉ／Ｆ）１０４を備えている。撮像装置１０は、通信Ｉ／Ｆ１０４を介して外部機器１０６と接続されると、外部機器１０６との間でデータの送受信が可能となる。なお、撮像装置１０と外部機器１０６との間の通信方式としては、例えば、ＵＳＢ、IEEE1394やBluetooth（登録商標）等を採用することができる。
【００４３】
次に、撮像装置１０の撮像機能について説明する。モード切替スイッチ１８によって撮像装置１０の動作モードが撮像モードに切り替えられると、画像の撮像可能な状態になる。
【００４４】
光学系５６（図１のレンズ３８を含む）は、ズームレンズ、フォーカスレンズ及び絞りを含んでいる。ＣＰＵ５０は、ズームスイッチ２０がユーザによって操作されたことを検出すると、ズーミングの向き（テレ側又はワイド側）及びズームレンズの移動目標位置（ズーム目標位置）を算出する。そして、ＣＰＵ５０は、ズームモータ７２に制御信号を出力してズームカム７０を駆動し、ズームレンズをズーム目標位置に移動させる。ズームレンズの位置情報は、図示せぬセンサによって検出され、ズームエンコーダ７６によってエンコードされてＣＰＵ５０に送信される。また、ＣＰＵ５０は、ＡＦモータドライバ８０に制御信号を出力してＡＦ用モータを駆動し、フォーカスレンズを移動させる。フォーカスレンズの位置情報は、図示せぬセンサによって検出され、フォーカスエンコーダ７４によってエンコードされてＣＰＵ５０に送信される。また、ＣＰＵ１８は、アイリスモータドライバ７８に制御信号を出力して、アイリスモータを駆動して絞り値の制御を行う。
【００４５】
光学系５６を通過した光は、撮像素子５８（以下、ＣＣＤ５８という）の受光面に結像される。なお、本実施形態では、撮像素子としてＣＣＤを用いたが、他の形式の撮像素子（例えば、ＣＭＯＳ）を用いてもよい。
【００４６】
ＣＣＤ５８の受光面には多数の受光素子（フォトダイオード）が２次元的に配列されており、ＣＣＤ５８の受光面に結像された被写体像は、各受光素子によって入射光量に応じた量の信号電荷に変換される。各受光素子には、３原色（Ｒ、Ｇ、Ｂ）のカラーフィルタが配置されている。各受光素子に蓄積された信号電荷は、ＣＰＵ５０の指令に従って信号電荷に応じたアナログ画像信号（Ｒ、Ｇ、Ｂ信号）として順次読み出される。
【００４７】
ＣＣＤ５８から読み出されたアナログ画像信号は、ＣＤＳアナログデコーダ６０によってサンプリングホールド（相関２重サンプリング処理）が行われてノイズ成分がキャンセルされた後、ホワイトバランスアンプ６２によってホワイトバランスレベルが調整される。ＣＰＵ５０は、ＣＣＤ５８の各分割エリアから取得したアナログ画像信号の色ごとの平均積算値を算出し、この色ごとの平均積算値に基づいて撮像環境の光源種の判別を行う。そして、ＣＰＵ５０は、この光源種に応じて電子ボリューム（ＥＶＲ）８４を制御してホワイトバランスアンプ６２におけるゲインを制御する。
【００４８】
ホワイトバランスアンプ６２から出力されたアナログ画像信号は、ガンマ補正処理部６４に入力されてガンマ補正が施された後、点順次化回路６６によって点順次化（単板ＣＣＤのカラーフィルタ配列に伴う色信号の空間的なズレを補間して色信号を同時式に変換する処理）処理が施される。点順次化回路６６から出力された点順次のアナログ画像信号は、Ａ／Ｄ変換器６８によってデジタル画像信号に変換され、メモリコントローラ８６を介してメインメモリ８８に格納される。
【００４９】
メインメモリ８８に格納されたデジタル画像信号は、ＹＣ信号作成部９４によって輝度信号（Ｙ信号）及び色差信号（Ｃｒ信号及びＣｂ信号）に変換される。
【００５０】
ライブビュー画像（スルー画）をモニタ２２に出力する場合、ＣＣＤ５８から出力されたアナログ画像信号は、ＣＤＳアナログデコーダ６０、ホワイトバランスアンプ６２及びガンマ補正処理部６４において所定の処理が施され、ＹＣ信号作成部９４によって輝度信号及び色差信号に変換された後、モニタドライバ（ＬＣＤドライバ）１０８に入力される。モニタドライバ１０８は、ＣＰＵ５０からの制御信号に従ってモニタ２２を制御するとともに、ＹＣ信号作成部９４から入力された輝度信号及び色差信号をモニタ出力用のビデオ信号に変換してモニタ２２に出力する。
【００５１】
静止画撮影時、レリーズスイッチ１４が半押しされると（Ｓ１オン）、ＡＥ処理及びＡＦ処理が開始される。ＡＥ処理において、ＣＰＵ５０は、分割測光により検出した被写体輝度から露出値（撮像ＥＶ値）を算出し、この露出値と所定のプログラム線図に従って、絞り値及びシャッタスピードを決定する。また、ＣＰＵ５０は、オートモードの場合に、フラッシュ発光のオン・オフを設定する。また、ＡＦ処理において、ＣＰＵ５０は、例えば、画像信号のＧ信号の高周波成分が極大になるようにフォーカスレンズを移動させる。
【００５２】
レリーズスイッチ１４が半押しされ（Ｓ１オン）、ＡＥ処理及びＡＦ処理が行われた後、レリーズスイッチ１４が全押しされると（Ｓ２オン）、記録用の撮像動作がスタートする。Ｓ２オンにより撮像された画像信号は、ＹＣ信号作成部９４によって輝度信号及び色差信号に変換される。この輝度信号及び色差信号は、圧縮伸張処理部９０によって圧縮された後、外部メモリ１０２に記録される。例えば、静止画については、ＪＰＥＧ形式の画像ファイルとして記録される。
【００５３】
また、動画撮影時には、レリーズスイッチ１４が全押し（Ｓ２オン）されると、所定のフレームレートで連続的に画像が撮影されてＹＣ信号作成部９４によって輝度信号及び色差信号が撮影されるとともに、マイク１１４によって音声が録音されてオーディオ入出力回路１１０によって音声信号に変換される。そして、レリーズスイッチ１４が再度全押し（Ｓ２オン）されると、画像及び音声の取り込みが終了する。この輝度信号及び色差信号と音声信号は、同期してＭＰＥＧエンコーダ＆デコーダ９２に入力され、ＭＰＥＧ圧縮符号化されてＭＰＥＧ形式の画像ファイルとして記録される。
【００５４】
モード切替スイッチ１８によって撮像装置１０の動作モードが再生モードに切り替えられると、外部メモリ１０２に記録されている画像ファイルの圧縮データが読み出される。この画像ファイルが静止画ファイルの場合、外部メモリ１０２から読み出された圧縮データは、圧縮伸張処理部９０によって非圧縮のＹＣ信号に伸張された後、モニタ２２に出力されて表示される。また、この画像ファイルが動画ファイルの場合、外部メモリ１０２から読み出された圧縮データは、ＭＰＥＧエンコーダ＆デコーダ９２によってデコードされた後、モニタ２２に出力されて表示される。
【００５５】
画像の再生中（動画の先頭フレーム再生中も含む）に、十字キー３０Ａの右ボタン又は左ボタンが操作されると、再生対象の画像ファイルの切り替え（順コマ送り／逆コマ送り）が行われ、コマ送りされた位置の画像ファイルが外部メモリ１０２から読み出されてモニタ２２に再生表示される。
【００５６】
撮像装置１０によって撮像して得られた画像信号を外部表示装置に映像出力する場合、ＣＣＤ５８から出力されたアナログ画像信号は、ＣＤＳアナログデコーダ６０、ホワイトバランスアンプ６２及びガンマ補正処理部６４において所定の処理が施された後、ＹＣ信号作成部９４に入力される。ＹＣ信号作成部９４によって作成された輝度信号及び色差信号は、色変換部９６によって輝度信号と色差信号の比が４：４：４から４：２：２になるように変換された後、ＮＴＳＣエンコーダ９８によってＮＴＳＣ方式の映像信号に変換されて外部表示装置に出力される。また、外部メモリ１０２に記録された画像ファイルを外部表示装置に映像出力する場合、外部メモリ１０２から読み出された画像ファイルは、圧縮伸張処理部９０又はＭＰＥＧエンコーダ＆デコーダ９２によって非圧縮の輝度信号及び色差信号に変換され、色変換部９６によって輝度信号（Ｙ信号）と色差信号（Ｃｒ信号とＣｂ信号）の比が４：４：４から４：２：２になるように変換された後、ＮＴＳＣエンコーダ９８によってＮＴＳＣ方式の映像信号に変換されて外部表示装置に出力される。
【００５７】
なお、上記の圧縮伸張処理部９０、ＭＰＥＧエンコーダ＆デコーダ９２、ＹＣ信号作成部９４、色変換部９６及びＮＴＳＣエンコーダ９８は、それぞれ専用の回路により構成されていてもよいし、専用の回路を設けずにＤＳＰのような信号処理回路を設けて上記の各部の機能を実現するようにしてもよい。また、上記各部の機能をＣＰＵ５０におけるソフトウェア処理により実現してもよい。
【００５８】
［撮像装置１０のスケジュール管理機能］
次に、撮像装置１０におけるスケジュール管理機能について説明する。撮像装置１０は、スケジュール入力部１１６、平均気温データベース（平均気温ＤＢ）１１８、自然放電情報データベース（自然放電情報ＤＢ）１２０及び残量−撮像可能枚数変換テーブル１２２を備えている。
【００５９】
スケジュール入力部１１６は、ユーザからのスケジュール情報の入力操作を受け付ける操作手段である。スケジュール入力部１１６から入力されたスケジュール情報は、外部メモリ１０２に保存される。ここで、スケジュール情報とは、例えば、予定内容、場所、予定日時である。なお、スケジュール情報は、スケジュール管理機能を有する外部機器から取得するようにしてもよい。また、スケジュール情報は、外部メモリ１０２ではなく、撮像装置１０の内蔵メモリに保存されるようにしてもよい。
【００６０】
平均気温ＤＢ１１８には、平均気温データが格納されている。平均気温データは、図３に示すように、各地点（例えば、稚内、留萌、旭川、…）における月別の平均気温（平年気温）データを含んでいる。
【００６１】
自然放電情報ＤＢ１２０には、電池１２４の保存特性データが格納されている。ここで、電池１２４の保存特性データは、自然放電による電池１２４の残量の経時変化を示すデータである。自然放電情報ＤＢ１２０には、図４（ａ）及び図４（ｂ）に示すように、電池１２４が置かれた環境の温度ごとの電池１２４の保存特性データが格納されている。
【００６２】
残量−撮像可能枚数変換テーブル１２２には、図５に示すように、電池１２４の残量と、電池１２４の残量不足のために撮像装置１０が撮像可能になるまでの静止画の撮像可能枚数及び動画の撮像可能時間との関係を示すデータが格納されている。ＣＰＵ５０は、電池残量検出部１２６によって電池１２４の電池残量を検出し、残量−撮像可能枚数変換テーブル１２２を参照して静止画の撮像可能枚数及び動画の撮像可能時間を算出する。
【００６３】
また、ＣＰＵ５０は、外部メモリ１０２にスケジュール情報が記録されていることを検出した場合に、その予定日時情報を取得する。そして、ＣＰＵ５０は、電池残量検出部１２６によって電池１２４の電池残量を検出し、自然放電情報ＤＢ１２０までの自然放電を考慮して上記予定日時における電池残量を算出（推定）する。また、ＣＰＵ５０は、残量−撮像可能枚数変換テーブル１２２を参照して、予定日時における電池残量から静止画の撮像可能枚数又は動画の撮像可能時間を算出する。
【００６４】
図６は、スケジュール情報を入力するためのスケジュール入力画面を示し、図７は、スケジュール情報の表示画面を示している。スケジュール入力部１１６からの操作が検出されると、図６に示すスケジュール入力画面がモニタ２２に表示される。スケジュール入力画面では、スケジュール入力部１１６からの入力に応じて、予定日時（予定の開始時刻及び終了時刻、予定の場所までの移動に要する移動時間）、予定内容（予定の名称）、場所の情報を含むスケジュール情報が入力される。なお、移動開始時刻及び移動終了時刻は、予定の開始時刻及び終了時刻、移動時間からＣＰＵ５０により算出される。更に、スケジュール入力画面では、予定の場所への移動手段（例えば、電車、クルマ、徒歩）が入力可能になっている。
【００６５】
また、スケジュール入力画面では、分類（例えば、社内、外出のようなスケジュールの属性を示す情報）、及び付加機能（アラームの鳴動日時の設定、スケジュール情報の閲覧にユーザ認証を必要とするシークレットの設定）が設定可能になっている。
【００６６】
更に、スケジュール入力画面では、当該予定の日時における撮像装置１０の撮像画素数（例えば、３０００×２０００ピクセル）及び設定画質（画像ファイルの圧縮率を示す情報、例えば、ＦＩＮＥ又はＮＯＲＭＡＬ）を含む撮像条件が設定可能にしてもよい。この撮像条件の設定内容は、スケジュール情報と関連付けられて又はスケジュール情報の一部として外部メモリ１０２に保存される。ＣＰＵ５０は、予定の日時になると、撮像装置１０の撮像条件をスケジュール入力画面において設定された撮像条件に設定し、ロックする。
【００６７】
図６のスケジュール入力画面にスケジュール情報が入力され、十字キー３０ＡによりＯＫボタンが選択されて決定ボタン３０Ｂの押下が検出されると、スケジュール情報が外部メモリ１０２に保存されて登録される。外部メモリ１０２に保存されたスケジュール情報は、図７に示すような予定閲覧画面で閲覧可能になっている。図７の予定閲覧画面では、マルチファンクションスイッチ３０により日付及びスケジュール情報を選択することにより、スケジュール情報の閲覧、編集及びスケジュール情報と関連付けられた画像の閲覧が可能になっている。
【００６８】
図８は、スケジュール情報の登録時における撮像装置１０の処理を示すフローチャートである。まず、スケジュール入力部１１６により、予定の名称、日時及び場所が入力される（ステップＳ１０からＳ１４）。そして、スケジュール情報が登録されると、当該スケジュール情報に対応するフォルダが作成される（ステップＳ１６）。ステップＳ１６において作成されるフォルダの名称は、スケジュール情報の各項目の入力内容（例えば、予定の名称、日時又は場所）のうちの少なくとも１つを組み合わせが設定される。フォルダ作成時に使用するスケジュール情報の項目の種類及び組み合わせは、予め設定しておくことが可能である。例えば、予定の名称が「運動会」、予定日時が「2010年10月10日9:00〜15:00」、場所が「AA市立BB小学校」の場合には、図９に示すように、フォルダ名が「2010_10_10運動会AA市立BB小学校」のフォルダが作成される。また、例えば、予定の名称が「長崎取材」、予定日時が「2012年7月1日8:00〜17:00」、場所が「軍艦島」の場合には、フォルダ名が「長崎取材2012_7_1軍艦島」に設定され、予定の名称が「Ｄ社工程監査」、予定日時が「2011年4月15日9:00〜15:00」、場所が「宮城県仙台市」の場合には、フォルダ名が「2011_4_15Ｄ社工程監査」に設定される。
【００６９】
次に、ステップＳ１６において登録されたスケジュール情報と作成されたフォルダとが関連付けられるとともに（ステップＳ１８）、スケジュール情報、及びスケジュール情報とフォルダが外部メモリ１０２に記録される（ステップＳ２０、Ｓ２２）。
【００７０】
図１０は、アラームの設定日時における撮像装置１０の電池残量検出処理の第１の実施形態を示すフローチャートである。アラームの設定日時になった場合には（ステップＳ３０のＹｅｓ）、撮像装置１０の電源が自動的にオンになり、予定の名称、日時及び場所がモニタ２２に表示され（ステップＳ３２からＳ３６）、スピーカ１１２からアラーム音（音量小）が出力される（ステップＳ３８）。
【００７１】
次に、電池残量検出部１２６によって電池１２４の残量が検出される（ステップＳ４０）。そして、自然放電情報ＤＢ１２０内の電池１２４の保存特性データに基づいて、予定日時における電池残量を算出（推定）する（ステップＳ４２）。撮像装置１０には、ユーザの住所を示す住所情報（例えば、郵便番号）が予め登録されている。ステップＳ４２では、この住所情報及び現在の日時に対応する平均気温が平均気温ＤＢ１１８から読み出され、読み出された平均気温の値に対応する保存特性に基づいて、予定日時における電池残量が推定される。なお、住所情報については、例えば、撮像装置１０にＧＰＳのような位置情報検出手段を設けることにより取得するようにしてもよい。
【００７２】
次に、残量−撮像可能枚数変換テーブル１２２内の電池残量と撮像可能枚数及び動画の撮像可能時間の関係を示すデータに基づいて、予定日時における撮像可能枚数及び撮像可能時間が算出され（ステップＳ４４）、モニタ２２に表示される（ステップＳ４６）。
【００７３】
次に、現在電池１２４が満充電の状態であるかが判定され（ステップＳ４８）、満充電でなければ（ステップＳ４８のＮｏ）、警告メッセージ（例えば、「電池残量が少なくなっています。念のため、電池を充電してください。」）がモニタ２２に表示されて（ステップＳ５０）、スピーカ１１２からアラーム音（音量大）が出力される（ステップＳ５２）。
【００７４】
本実施形態では、撮像装置１０の電源オン時又は電源オフ時に実行して、予定日時における電池残量、静止画の撮像可能枚数又は動画の撮像可能時間に関する情報をユーザに提供することができる、これにより、予定日時に撮像に必要な電池残量が維持されるように電池１２４の充電等を促すことができる。
【００７５】
図１１は、電池残量検出処理の第２の実施形態を示すフローチャートである。まず、アラーム設定日時及び予定日時が取得され（ステップＳ６０、Ｓ６２）、アラーム設定日時と予定日時の中間の日時（平均日時）が算出される（ステップＳ６４）。
【００７６】
次に、平均気温ＤＢ１１８から平均日時の平均気温が読み出される（ステップＳ６６）。そして、外部メモリ１０２内に記録されたスケジュール情報から移動手段に関する情報が読み出される（ステップＳ６８）。移動手段が「電車」の場合には（ステップＳ７０）、電池残量の推定に用いる気温がステップＳ６６において取得した平均気温より低く（例えば、（平均気温）−５℃）に設定される（ステップＳ７２）。一方、移動手段が「クルマ」の場合には（ステップＳ７０）、電池残量の推定に用いる気温がステップＳ６６において取得した平均気温より高く（例えば、（平均気温）＋３０℃）に設定される（ステップＳ７４）。また、移動手段が「徒歩」の場合には（ステップＳ７０）、電池残量の推定に用いる気温がステップＳ６６において取得した平均気温に設定される（ステップＳ７６）。なお、ステップＳ７０からＳ７６における移動手段ごとの気温の算出方法は、あくまで一例であり、移動手段の種類及び電池残量の推定に用いる気温の算出方法は、上記に限定されるものではない。
【００７７】
次に、放置時間がスケジュール情報の移動時間に設定されて（ステップＳ７８）、電池残量検出部１２６によって電池１２４の残量が検出され、ステップＳ７０からＳ７６において算出された気温と、自然放電情報ＤＢ１２０内の電池１２４の保存特性データに基づいて、予定日時における電池残量が算出（推定）される（ステップＳ８０）。そして、残量−撮像可能枚数変換テーブル１２２内の電池残量と撮像可能枚数及び動画の撮像可能時間の関係を示すデータに基づいて、予定日時における撮像可能枚数及び撮像可能時間が算出され、モニタ２２に表示される（ステップＳ８２）。
【００７８】
本実施形態によれば、電池の保存特性に加えて、予定の場所までの移動手段及び移動時の環境における気温を考慮することにより、撮像装置１０を実際に使用するときに電池の残量をより正確に算出することができる。
【００７９】
なお、図１０及び図１１の処理は、予定日時前に撮像装置１０が使用されたとき（電源オン時又は電源オフ時）に実行するようにしてもよい。また、予定日時における電池残量の推定値、撮像可能枚数又は動画の撮像可能時間の推定値が所定値以下の場合に、警告メッセージ又はアラーム音が出力されるようにしてもよい。
【００８０】
［撮像モード］
図１２は、画像の撮像時における撮像装置１０の処理を示すフローチャートである。撮像装置１０の電源がオンされ、撮像装置１０の動作モードが撮像モードに設定されると、内蔵時計８２から現在の時刻が取得され（ステップＳ９０）、現在の時刻に対応するスケジュール情報が登録されているかどうか判定される（ステップＳ９２）。現在の時刻に対応するスケジュール情報が登録されていない場合には（ステップＳ９２のＮｏ）、外部メモリ１０２のルートフォルダが記録フォルダに設定される（ステップＳ９４）。一方、現在の時刻に対応するスケジュール情報が登録されている場合には（ステップＳ９２のＹｅｓ）、当該スケジュール情報に対応するフォルダが記録フォルダに設定される（ステップＳ９６）。
【００８１】
次に、レリーズスイッチ１４が押下され（Ｓ２オン）、撮像指示が入力されると（ステップＳ９８のＹｅｓ）、画像が撮像（ステップＳ１００）、記録される（ステップＳ１０２）。そして、電源スイッチ１２が押下され、撮像装置１０の電源がオフになるまで（ステップＳ１０４のＹｅｓ）、上記ステップＳ９０からＳ１０２の処理が繰り返される。
【００８２】
本実施形態によれば、予定日時に撮像された画像をスケジュール情報と関連付けられた記録フォルダに記録することができるので、スケジュール情報と画像の管理が容易になる。また、記録フォルダ名にスケジュール情報に従って設定することにより、外部機器１０６に画像を転送した際にも画像の管理が容易になる。更に、本実施形態では、予定日時に撮像された画像を、ユーザが予め設定した撮像条件の設定の下で撮像することができるので、撮像条件の設定を忘れることを防止できる。
【００８３】
なお、本実施形態では、撮影時に進行中のスケジュール情報に応じて記録先のフォルダを変更するようにしたが、例えば、スケジュール情報に応じて画像ファイル名を設定するようにしてもよいし、スケジュール情報と画像との関連づけをメタデータとして保存するようにしてもよい。
【００８４】
［再生モード］
次に、撮像装置１０において画像を再生する処理について説明する。図１３は、画像の再生時における撮像装置１０の処理を示すフローチャートである。撮像装置１０の動作モードが再生モードに設定されると、外部メモリ１０２内に画像ファイルが記録されているかどうか判定される（ステップＳ１１０）。外部メモリ１０２内に画像ファイルが記録されていない場合には（ステップＳ１１０のＮｏ）、画像がない旨を示すメッセージ（例えば、「画像がありません」）がモニタ２２に表示される（ステップＳ１１２）。
【００８５】
一方、外部メモリ１０２内に画像ファイルが記録されている場合には（ステップＳ１１０のＹｅｓ）、最新の画像（最後に撮像又は更新された画像）がどのフォルダにあるかが判定される（ステップＳ１１４）。最新の画像がルートフォルダ以外のフォルダにある場合には（ステップＳ１１４のＮｏ）、最新の画像が記録されているフォルダ（以下、選択フォルダという）内の画像がモニタ２２にスライドショウ表示される（ステップＳ１１６）。ステップＳ１１６では、例えば、選択フォルダ内の最新の画像を始点にして新しい画像から順にスライドショウ表示される。一方、最新の画像がルートフォルダにある場合には（ステップＳ１１４のＹｅｓ）、当該最新の画像がモニタ２２に表示される（ステップＳ１１８）。
【００８６】
図１４は、画像の再生時における撮像装置１０の処理を詳細に示すフローチャートである。撮像装置１０の動作モードが再生モードに設定されると、外部メモリ１０２内に画像ファイルが記録されているかどうか判定される（ステップＳ１２０）。外部メモリ１０２内に画像ファイルが記録されていない場合には（ステップＳ１２０のＮｏ）、画像がない旨を示すメッセージ（例えば、「画像がありません」）がモニタ２２に表示される（ステップＳ１２２）。
【００８７】
一方、外部メモリ１０２内に画像ファイルが記録されている場合には（ステップＳ１２０のＹｅｓ）、最新の画像（最後に撮像又は更新された画像）がどのフォルダにあるかが判定される（ステップＳ１２４）。最新の画像がルートフォルダ以外のフォルダにある場合には（ステップＳ１２４のＮｏ）、最新の画像が記録されているフォルダ（以下、選択フォルダという）内の画像がモニタ２２にスライドショウ表示される（ステップＳ１２６）。ステップＳ１２６では、例えば、選択フォルダ内の最新の画像を始点にして新しい画像から順にスライドショウ表示される。
【００８８】
スライドショウ表示中に、十字キー３０Ａの左ボタンの押下が検出され、「戻る」の指示が入力されると（ステップＳ１２８のＹｅｓ）、選択フォルダ内の画像よりも古い画像の中で最新の画像がどのフォルダにあるかが判定される（ステップＳ１３０）。選択フォルダ内の画像よりも古い画像の中で最新の画像がルートフォルダ以外のフォルダにある場合には（ステップＳ１３０のＮｏ）、当該フォルダ内の画像がモニタ２２にスライドショウ表示される（ステップＳ１３２）。一方、選択フォルダ内の画像よりも古い画像の中で最新の画像がルートフォルダにある場合には（ステップＳ１３０のＹｅｓ）、当該画像がモニタ２２に表示される（ステップＳ１４０）。
【００８９】
一方、最新の画像がルートフォルダにある場合には（ステップＳ１２４のＹｅｓ）、当該最新の画像がモニタ２２に表示される（ステップＳ１３２）。画像の表示中に、十字キー３０Ａの左ボタンの押下が検出され、「戻る」の指示が入力されると（ステップＳ１３６のＹｅｓ）、表示中の画像よりも古い画像の中で最新の画像がどのフォルダにあるかが判定される（ステップＳ１３８）。表示中の画像よりも古い画像の中で最新の画像がルートフォルダにある場合には（ステップＳ１３８のＹｅｓ）、当該画像がモニタ２２に表示される（ステップＳ１４０）。一方、表示中の画像よりも古い画像の中で最新の画像がルートフォルダ以外のフォルダにある場合には（ステップＳ１３８のＮｏ）、表示中の画像よりも古い画像の中で最新の画像が記録されているフォルダ内の画像がモニタ２２にスライドショウ表示される（ステップＳ１２６）。
【００９０】
図１５は、再生モード時における撮像装置１０の動作を模式的に示す図である。撮像装置１０の動作モードが再生モードに設定されると、最新の画像Ｐ１０を含むフォルダＦ１０内の画像が新しい順に画像Ｐ１０、Ｐ１２、Ｐ１４、Ｐ１０、Ｐ１２、…のように繰り返し表示（スライドショウ表示）される。なお、画像Ｐ１０の前後にフォルダ名を表示するためのタイトル画面Ｔ１０を表示するようにしてもよい。
【００９１】
次に、「戻る」指示が入力されると、フォルダＦ１０内の画像よりも古い画像の中で最新の画像Ｐ２０が表示される。なお、図１５に示す例では、画像Ｐ２０は、ルートフォルダ内の画像である。
【００９２】
次に、「戻る」指示が入力されると、画像Ｐ２０よりも古い画像の中で最新の画像Ｐ３０を含むフォルダＦ３０内の画像が新しい順に画像Ｐ３０、タイトル画面Ｔ３０、画像Ｐ３２、Ｐ３４、画像Ｐ３０、タイトル画面Ｔ３０、画像Ｐ３２、…のように繰り返し表示（スライドショウ表示）される。
【００９３】
次に、「戻る」指示が入力されると、フォルダＰ３０内の画像よりも古い画像の中で最新の画像Ｐ４０が表示される。なお、図１５に示す例では、画像Ｐ４０は、ルートフォルダ内の画像である。
【００９４】
次に、「戻る」指示が入力されると、画像Ｐ４０よりも古い画像の中で最新の画像Ｐ５０を含むフォルダＦ５０内の画像が新しい順に画像Ｐ５０、タイトル画面Ｔ５０、画像Ｐ５２、Ｐ５４、画像Ｐ５０、タイトル画面Ｔ５０、画像Ｐ５２、…のように繰り返し表示（スライドショウ表示）される。
【００９５】
次に、「戻る」指示が入力されると、フォルダＰ５０内の画像よりも古い画像の中で最新の画像Ｐ６０が表示される。なお、図１５に示す例では、画像Ｐ６０は、ルートフォルダ内の画像である。
【００９６】
一方、十字キー３０Ａの右ボタンの押下が検出され、「進む」指示が入力された場合には、表示中の画像又はフォルダ内の画像よりも新しい画像の中で最古の画像又は該画像を含むフォルダ内の画像が表示される。
【００９７】
図１６は、マルチ画面表示を示している。マルチ画面表示ボタン２４が押下されると、図１６に示すマルチ画面表示に移行する。マルチ画面表示では、ルートフォルダ直下のフォルダ及び画像が一覧表示される。図１６では、左上に最新のフォルダＦ１０が表示され、右側の画像ほど古くなっている。各フォルダ（Ｆ１０、Ｆ３０、Ｆ６０）の表示領域は、画像ファイル（Ｐ２０、Ｐ４０、Ｐ６０）の表示領域と略同じサイズであり、各フォルダ内の画像がフォルダ名とともに一例で３枚ずつ縮小表示（サムネイル表示）される。
【００９８】
本実施形態によれば、外部メモリ１０２内に記録した画像をスケジュール単位で閲覧する操作が容易になる。
【００９９】
なお、本発明は、例えば、カメラ機能及び表示機能を備えた装置（例えば、パーソナルコンピュータ、電子手帳、ＰＤＡ又は携帯電話）に上記の処理を実行するプログラムとしても提供することができる。
【図面の簡単な説明】
【０１００】
【図１】本発明の一実施形態に係る撮像装置を示す外観図（上面図、背面図、側面図及び正面図）
【図２】本発明の一実施形態に係る撮像装置の内部構成を示すブロック図
【図３】平均気温データ
【図４】電池１２４の保存特性データ
【図５】残量−撮像可能枚数変換テーブル
【図６】スケジュール情報を入力するためのスケジュール入力画面
【図７】スケジュール情報の表示画面
【図８】スケジュール情報の登録時における撮像装置１０の処理を示すフローチャート
【図９】外部メモリ１０２内のフォルダツリー構造を示す図
【図１０】アラームの設定日時における撮像装置１０の電池残量検出処理の第１の実施形態を示すフローチャート
【図１１】電池残量検出処理の第２の実施形態を示すフローチャート
【図１２】画像の撮像時における撮像装置１０の処理を示すフローチャート
【図１３】画像の再生時における撮像装置１０の処理を示すフローチャート
【図１４】画像の再生時における撮像装置１０の処理を詳細に示すフローチャート
【図１５】再生モード時における撮像装置１０の動作を模式的に示す図
【図１６】マルチ画面表示
【符号の説明】
【０１０１】
１０…撮像装置、１２…電源スイッチ、１４…レリーズスイッチ、１６…ファインダ、１８…動作モード切替スイッチ、２０…ズームスイッチ、２２…モニタ、２４…マルチ画面表示ボタン、２６…メニューボタン、２８…表示ボタン、３０…マルチファンクションスイッチ、３２…削除ボタン、３４…フラッシュ発光部、３６…ファインダ窓、３８…レンズ、５０…ＣＰＵ、５２…バス、５４…操作部、５６…光学系、５８…撮像素子（ＣＣＤ）、６０…ＣＤＳアナログデコーダ、６２…ホワイトバランスアンプ、６４…ガンマ補正処理部、６６…点順次化回路、６８…Ａ／Ｄ変換器、７０…ズームカム、７２…ズームモータ、７４…フォーカスエンコーダ、７６…ズームエンコーダ、７８…アイリスモータドライバ、８０…ＡＦモータドライバ、８２…内蔵時計、８４…電子ボリューム（ＥＶＲ）、８６…メモリコントローラ、８８…メインメモリ、９０…圧縮伸張処理部、９２…ＭＰＥＧエンコーダ＆デコーダ、９４…ＹＣ信号作成部、９６…色変換部、９８…ＮＴＳＣエンコーダ、１００…外部メモリインターフェース部（外部メモリＩ／Ｆ）、１０２…外部メモリ、１０４…通信インターフェース部（通信Ｉ／Ｆ）、１０６…外部機器、１０８…モニタドライバ、１１０…オーディオ入出力回路、１１２…スピーカ、１１４…マイク、１１６…スケジュール入力部、１１８…平均気温データベース（平均気温ＤＢ）、１２０…自然放電情報データベース（自然放電情報ＤＢ）、１２２…電圧−撮像可能枚数変換テーブル、１２４…電池、１２６…電池残量検出部
【図１】
2009089325.tif 000003
【図２】
2009089325.tif 000004
【図３】
2009089325.tif 000005
【図４】
2009089325.tif 000006
【図５】
2009089325.tif 000007
【図６】
2009089325.tif 000008
【図７】
2009089325.tif 000009
【図８】
2009089325.tif 000010
【図９】
2009089325.tif 000011
【図１０】
2009089325.tif 000012
【図１１】
2009089325.tif 000013
【図１２】
2009089325.tif 000014
【図１３】
2009089325.tif 000015
【図１４】
2009089325.tif 000016
【図１５】
2009089325.tif 000017
【図１６】
2009089325.tif 000018